(57)【特許請求の範囲】
【請求項１】
上面に開口した上向き凹部を有した本体と、この本体に着脱自在に取り付けられ、上向き凹部の開口を閉塞する上カバー体を備え、その上向き凹部と上カバー体とで内部空間を有した框本体とし、
前記上向き凹部の室外側部に、内部空間を本体の室外側面に連通するための室外側の通気口を形成し、前記上向き凹部の室内側部に、内部空間を本体の室内側面に連通するための室内側の通気口を形成することで、その内部空間に空気が流通するように構成し、
前記本体の長手方向両端部と縦框を、前記上カバー体と縦框が干渉しないように連結するようにしたことを特徴とする換気框。
【請求項２】
前記本体の上向き凹部の長手方向両端部に左右のキャップをそれぞれ取り付け、その上向き凹部における左右のキャップ間に上カバー体を挿入して取り付け、
前記左右のキャップを左右の縦框の内向き凹部にそれぞれ嵌合して本体と縦框を連結するようにした請求項１記載の換気框。
【請求項３】
前記上カバー体は、その室外側部に室外側被支持部、室内側部に室内側被支持部、室内側寄りに被押え部をそれぞれ有し、
この室外側被支持部を上向き凹部の室外側部の支持部で支持すると共に、室内側被支持部を上向き凹部の室内側部の支持部で支持することで、上カバー体を上方に移動可能に支持し、
前記キャップに押え部材を着脱自在に取り付け、この押え部材に上カバー体の被押え部が接することで上方に動かないようにした請求項２記載の換気框。
【請求項４】
前記室外側の通気口を開閉する作動板を設けた請求項１〜３いずれか１項記載の換気框。
【請求項５】
前記本体は、室外側部材と室内側部材を有し、
前記室外側部材を上面に開口した上向き凹部を有する金属製とすると共に、室内側部材を樹脂製として室外側部材の室内側部に取り付けて框室内側面を樹脂とし、
前記上カバー体を室外側部材に、その上向き凹部の開口を閉塞するように取り付けた請求項１記載の換気框。
【請求項６】
請求項１〜５いずれか１項記載の換気框を用いた障子を、枠体に取り付けたことを特徴とする建具。
【発明の詳細な説明】
【技術分野】
【０００１】
本発明は、換気框および、その換気框を用いた障子を枠体に取り付けた建具に関する。
【背景技術】
【０００２】
従来、枠体に障子を引き違いに取り付けた引違い窓等の建具においては、障子を閉じた状態で室内を換気できるようにするために、障子の上框を、框本体の室内側壁と室外側壁とに通気口を有すると共に、その通気口を通して框本体の内部空間に空気が流通するようにした換気框とし、室内と室外に空気が流通するようにしている。
このような換気框の内部空間には空気とともにゴミや塵が流通するので、そのゴミや塵が換気框の内部空間に付着して汚れることがある。
一方、特許文献１に開示された換気框は、框本体の室内側壁（室内側片）を別体とし、この室内側壁を室外側壁にビスで固着することで空気が流通する内部空間を構成しているので、その室内側壁を取り外すことで内部空間をメンテナンスできるから、内部空間に付着したゴミや塵を清掃することができる。
【先行技術文献】
【特許文献】
【０００３】
【特許文献１】特開２０１０−２７０５２４号公報
【発明の概要】
【発明が解決しようとする課題】
【０００４】
前述した従来の換気框であれば、内部空間をメンテナンスできるが、その室内側壁を取り外しするには換気框と縦框を分離しなければならず、その作業が大変面倒で時間がかかる。
【０００５】
本発明の目的は、空気が流通する内部空間を簡単にメンテナンスできるようにした換気框および、その換気框を用いた建具とすることである。
【課題を解決するための手段】
【０００６】
本発明の換気框は、上面に開口した上向き凹部を有した本体と、この本体に着脱自在に取り付けられ、上向き凹部の開口を閉塞する上カバー体を備え、その上向き凹部と上カバー体とで内部空間を有した框本体とし、
前記上向き凹部の室外側部に、内部空間を本体の室外側面に連通するための室外側の通気口を形成し、前記上向き凹部の室内側部に、内部空間を本体の室内側面に連通するための室内側の通気口を形成することで、その内部空間に空気が流通するように構成し、
前記本体の長手方向両端部と縦框を、前記上カバー体と縦框が干渉しないように連結するようにしたことを特徴とする換気框である。
【０００７】
本発明の換気框においては、前記本体の上向き凹部の長手方向両端部に左右のキャップをそれぞれ取り付け、その上向き凹部における左右のキャップ間に上カバー体を挿入して取り付け、
前記左右のキャップを左右の縦框の内向き凹部にそれぞれ嵌合して本体と縦框を連結するようにできる。
このようにすれば、上向き凹部の左右のキャップ間に上カバー体を縦框と干渉せずに挿入したり、抜き出したりできるから、上カバー体を簡単に取り付け、取り外しできる。
【０００８】
本発明の換気框においては、前記上カバー体は、その室外側部に室外側被支持部、室内側部に室内側被支持部、室内側寄りに被押え部をそれぞれ有し、
この室外側被支持部を上向き凹部の室外側部の支持部で支持すると共に、室内側被支持部を上向き凹部の室内側部の支持部で支持することで、上カバー体を上方に移動可能に支持し、
前記キャップに押え部材を着脱自在に取り付け、この押え部材に上カバー体の被押え部が接することで上方に動かないようにできる。
このようにすれば、押え部材を取り付けることでカバー体を上向き凹部に取り付けでき、押え部材を取り外しすることでカバー体を上向き凹部から抜き出すようにして取り外しできる。
【０００９】
本発明の換気框においては、前記室外側の通気口を開閉する作動板を設けることができる。
このようにすれば、換気をしないときに室外側通気口を閉じて内部空間に空気が流れないようにできる。
【００１０】
本発明の換気框においては、前記本体は、室外側部材と室内側部材を有し、
前記室外側部材を上面に開口した上向き凹部を有する金属製とすると共に、室内側部材を樹脂製として室外側部材の室内側部に取り付けて框室内側面を樹脂とし、
前記上カバー体を室外側部材に、その上向き凹部の開口を閉塞するように取り付けることができる。
このようにすれば、框の室内側面が樹脂であるから、その室内側面に結露が生じることがない。
【００１１】
本発明の建具は、前述したいずれか１つの換気框を用いた障子を、枠体に取り付けたことを特徴とする建具である。
【発明の効果】
【００１２】
本発明の換気框によれば、換気框と縦框を分離せずに連結したままの状態で上カバー体を取り外し、取り付けできると共に、上カバー体を取り外しすることで上向き凹部に上から手を入れる等して清掃などができるので、空気が流通する内部空間を簡単にメンテナンスできる。
【図面の簡単な説明】
【００１３】
【図１】建具である引違い窓の正面図である。
【図２】障子の上部拡大正面図である。
【図３】図２の平面図である。
【図４】図２のＡ−Ａ拡大断面図である。
【図５】換気框の斜視図である。
【発明を実施するための形態】
【００１４】
図１に示すように、枠体１に障子２を取り付けて建具としてある。
図１においては、枠体１に室内側障子２ａと室外側障子２ｂを引き違いに取り付けて引違い窓としてある。
障子２は、上框３と下框４と左右の縦框５を方形状に連結した框組体６に、ガラスなどのパネル体７を装着してある。
そして、室内側障子２ａの上框３が換気框としてある。
【００１５】
前述の換気框（上框３）を図２〜図５に基づいて説明する。
換気框の框本体３ａは、室外側部材１０と室内側部材２０とを有しており、上面に開口した上向き凹部３ｂと下面に開口した下向き凹部３ｃを有する本体３ｄと、その本体３ｄに、上向き凹部３ｂの開口を閉塞するように着脱自在に取り付けたカバー体３０を備え、その上向き凹部３ｂとカバー体３０との間に内部空間３ｅを有している。本体３ｄの下向き凹部３ｃにパネル体７が装着される。
この内部空間３ｅが室外側部材１０の室外側通気口１０ａで室外側に開口すると共に、室外側材１０の中間通気口１８および室内側部材２０の室内側通気口２０ａで室内側に開口し、その内部空間３ｅを通して室内と室外とに空気が流通する。
【００１６】
前述の本体３ｄの長手方向端部と縦框５が連結され、上カバー体３０は縦框５と連結されていないと共に、縦框５と干渉せずに本体３ｄの上向き凹部３ｂ内に挿入したり、抜き出したりできるようにしてある。
例えば、本体３ｄの長手方向両端部に左右のキャップ４０をそれぞれ取り付け、この左右のキャップ４０間に上カバー体３０を設け、キャップ４０に押え部材５０を固着具、例えばビス５１で固着し、この押え部材５０で上カバー体３０が上方に動かないように保持している。
そして、本体３ｄの長手方向両端部と左右のキャップ４０を縦框５の面内方向内側に向けて開口した内向き凹部５ａ内に挿入し、縦框５からビスを本体３ｄに螺合して本体３ｄと縦框５を連結している。
【００１７】
このようであるから、換気框（内框３）の内部空間３ｅを清掃などのメンテナンスする際は、障子２を枠１から取り外し、本体３ｄと縦框５を分離せずに連結したままの状態で、ビス５１を弛めて押え部材５０を外すことで上カバー体３０を上方に動かして本体３ｄの上向き凹部３ｂから抜き出すようにして取り外しする。
そして、本体３ｄの上向き凹部３ｂ内に手を入れる等して清掃すると共に、上カバー体３０を清掃することで框本体３ａの内部空間３ｅを清掃できる。
また、上カバー体３０を取り付ける場合は、上カバー体３０を本体３ｄの上向き凹部３ｂ内に挿入し、押え部材５０をキャップ４０に取り付けて上カバー体３０が上方に動かないように保持する。
【００１８】
このように、框本体（本体３ｄ）と縦框５は分離せずに上カバー体３０を本体３ｄの上向き凹部３ｂに取り付け、取り外しできるから、框本体の内部空間３ｅを簡単にメンテナンスできる。
【００１９】
この実施の形態では、室外側部材１０と室内側部材２０を別体とし、その室外側部材１０によって上向き凹部３ｂを形成し、その室外側部材１０に上カバー体３０を取り付けて上向き凹部３ｂの開口を閉塞することで、内部空間３ｅを形成し、その内部空間３ｅを室内側部材２０の室内側通気口２０ａに連通して換気框としている。
そして、室外側部材１０と上カバー３０は金属製、例えば、アルミ合金の押出し形材で、室内側部材２０は樹脂製、例えば樹脂の押出し形材として、換気框を金属、樹脂複合の框としてある。
【００２０】
このようであるから、換気框の室内側面が樹脂となるので、その換気框の室内側面に結露が生じないようにできる。
【００２１】
換気框を前述のようにした場合には縦框５、下框４も同様に室内側面が樹脂の金属、樹脂複合の框とする。
例えば、縦框５を図３に示すように、金属製、例えばアルミ合金押出し形材の室外側部材５ｂと、樹脂製、例えば樹脂押出し形材の室内側部材５ｃで内向き凹部５ａを有する框とし、縦框５の室外側部材５ｂと換気框（上框３）の室外側部材１０を連結する。
このようにすることで、障子２の框組体６の室内側面が樹脂となるので、障子２の室内側面に結露が生じないようにできる。
【００２２】
次に換気框の具体形状を説明する。
室外側部材１０は、上下方向に向かう室外側部としての室外側縦壁１１と、この室外側縦壁１１の室内側面１１ａにおける上下方向中間部に室内側に向けて水平に設けた横向壁１２と、この横向壁１２の室内側寄りに設けた室内側部としての室内側寄りの立上り壁１３を有し、その室外側縦壁１１の横向壁１２よりも上方部分と、横向壁１２と、立上り壁１３とで上向き凹部１０ｂを形成している。なお、横向壁１２は水平に限らず、傾斜や段差を有しても良い。つまり横向壁１２は室外側縦壁１１と立上り壁１３とにわたって室内外方向に延在する部位であれば良い。
室外側縦壁１１の横向壁１２よりも上方部分に室外側通気口１０ａが形成され、この室外側通気口１０ａで上向き凹部１０ｂを室外側縦壁１１の室外側面に連通している。この室外側通気口１０ａは縦スリット形状の複数の通気口を長手方向に間隔を置いて有する。
室外側縦壁１１の室内側面１１ａにおける室外側通気口１０ａよりも上方に支持片１４が室内側に向けて設けられて支持部としてあると共に、上端寄りに気密材装着用の室内側に向けて開口した凹部１５が長手方向に連続して設けてある。
この凹部１５に室外側横気密材１６が室内側に向けて装着してある。
【００２３】
前述した立上り壁１３は、横向壁１２の室内側寄りに上方に向けて設けた下縦片１３ａと、この下縦片１３ａの上端部に室内側に向けて設けた下横向片１３ｂと、この下横向片１３ｂの室内側端部に上方に向けて設けた中間縦片１３ｃと、この中間縦片１３ｃの上端部に室外側に向けて設けた上横向片１３ｄと、この上横向片１３ｄの室外側端部に上方に向けて設けた上縦片１３ｅとで、中間縦向部の下部と上部に鉤形部を有する形状で、中間縦片１３ｃの下部と上部に下係合部１７ａ、上係合部１７ｂを有していると共に、中間縦片１３ｃには中間通気口１８が形成してある。
この下縦片１３ａ、下横向片１３ｂと横向壁１２の室内側寄り部分とで室内側に向けて開口した凹部１９を形成している。
【００２４】
室内側部材２０は、上下方向に向かう室内側縦壁２１と、その室外側面２１ａの上下方向中間部に設けた室外側に向かう支持横壁２２と、上端寄りに室外側に向けて設けた係合部２３を有し、その支持横壁２２を前述の凹部１９に挿入して横向壁１２で支持すると共に、その支持横壁２２に設けた係合部２４を前述の下係合部１７ａに係合し、かつ前述の上係合部１７ｂに係合部２３を係合して室外側部材１０の室内側部に室内側部材２０を取り付けてある。
【００２５】
前述の室内側縦壁２１の支持横壁２２よりも上方に室内側通気口２０ａが形成してある。この室内側通気口２０ａは縦スリット形状の複数の通気口を長手方向に間隔を置いて有する。
この室内側通気口２０ａは前述した中間通気口１８と連通し、上向き凹部１０ｂを室内側縦壁２１の室内側面に連通している。
このようであるから、室外側通気口１０ａ、内部空間３ｅ、中間通気口１８、室内側通気口２０ａを通して室内と室外とに空気が流通する。つまり、前述の室外側部材１０の上向き凹部１０ｂが本体３ｄの上向き凹部３ｂで、室外側縦壁１１が上向き凹部３ｂの室外側部で、室外側通気口１０ａが上向き凹部３ｂを本体３ｄの室外側面に連通するための室外側の通気口で、立上り壁１３が上向き凹部３ｂの室内側部で、中間通気口１８が上向き凹部３ｂを本体３ｄの室内側面に連通するための室内側の通気口である。
【００２６】
前述の室内側縦壁２１の室内側面２１ｂにおける室内側通気口２０ａよりも下方と上方に上向き溝部２５、下向き溝部２６を上下方向に相対向して有する。
つまり、室内側縦壁２１を、上下方向中間部が室内外側方向に折曲して下縦片２１ｃと折曲片２１ｄと上縦片２１ｅでほぼクランク形状の板状とし、その下縦片２１ｃの上端部に上向片２１ｆを設けると共に、上縦片２１ｅの上端部に下向き鉤片２１ｇを設け、上向片２１ｆと折曲片２１ｄと上縦片２１ｅの下部寄りで上向き溝部２５を形成すると共に、上縦片２１ｅの上部寄りと下向き鉤片２１ｇとで下向き溝部２６を形成している。
【００２７】
前述の上向き溝部２５と下向き溝部２６とに渡ってフィルターカバー６０が取り付けてある。例えば、フィルターカバー６０の下部が上向き溝部２５内に嵌まり込み、上部が下向き溝部２６内に嵌まり込み、その下向き溝部２６の底面（下向面）２６ａとフィルターカバー６０の上端面６０ａとの間に隙間を有し、フィルターカバー６０をその隙間分だけ持ち上げるとフィルターカバー６０の下部が上向き凹部２５から外れるようにして、フィルターカバー６０を取り付け、取り外しできるようにしてある。
【００２８】
前述フィルターカバー６０には図２に示すように、縦スリット形状の複数の通気口６１が長手方向に間隔を置いて形成してあると共に、つまみ６２が長手方向に移動自在に設けてある。
この通気口６１は前述した室内側通気口２０ａと相対向している。
前述のフィルターカバー６０の室外側部分にフィルター６３が設けてある。
このフィルター６３によって虫やゴミ等の室内空間への侵入を防いだり、内部空間３ｅを流通する空気を清浄化することができる。
【００２９】
前述の上カバー体３０は、その室外側部に設けた室外側被支持部３１と室内側部に設けた室内側被支持部３２と室内側寄りに設けた被押え部３３を有し、その室外側被支持部３１を室外側部材１０の支持片１４（支持部）に係止して上カバー体３０の室外側部を室外側部材１０に下方に動かないように支持すると共に、室内側被支持部３２を室外側部材１０の上縦片１３ｅ（支持部）に係止して上カバー体３０の室内側部を室外側部材１０に下方に動かないように支持する。この上カバー体３０は室内側部材２０と接触しないようにしてある。
これにより、上カバー体３０は本体３ｄの上向き凹部３ｂの上下方向中間部に、上方に移動可能に支持される。例えば室内側被支持部３２を上方に動かすことで室外側被支持部３１と支持片１４の支持部分を支点として上方に矢印ａ方向に回動しながら上方に移動可能に支持されている。
【００３０】
前述の被押え部３３の上に押え部材５０が位置し、その被押え部３３が押え部材５０に当たることで上カバー体３０が前述のように上方に移動しないように保持している。
【００３１】
前述の上カバー体３０は、室外側部としての室外側縦板３４と下横板３５と室外側部としての室内側縦板３６とでほぼ上向きコ字形状で、その室外側縦板３４の上部に室外側に向けて下向きの鉤片を設けて前述の室外側被支持部３１としてあると共に、室内側縦板３６の上部に室内側に向けて下向きの鉤片を設けて前述の室内側被支持部３２としてあり、室内側縦板３６の上下方向中間部をクランク形状に折曲し、その折曲部を前述の被押え部３３としてある。
つまり、この実施の形態の障子２は枠１の上レールに沿って長手方向に移動するので、その上レールが入り込むように上カバー体３０を前述のようにほぼ上向きコ字形状としてある。
【００３２】
前述のキャップ４０は図５に示すように室外側縦部４１と室内側縦部４２を下連結部４３で一体に連結したほぼ上向きコ字形状で、前述した上レールが入り込むことができるようにしてある。
このキャップ４０は室外側部材１０と室内側部材２０との間に嵌合するようにして取り付けられ、そのキャップ４０は室外側部材１０、室内側部材２０の長手方向端面よりも側方に突出し、その突出した部分と室外側部材１０、室外側部材２０が、図３に示すように縦框５の内向き凹部５ａ内に嵌合するようにしてある。
そして、室内側縦部４２の上面は室内側面４２ａが高く、室外側面４２ｂが低い段差を有した形状で、その室内側面４２ａと室外側面４２ｂを連続する縦面４２ｃには室外側に向かう突起４４を有している。
【００３３】
前述の押え部材５０は図４、図５に示すように、矩形板状の取付部５２と、その取付部５２の左右一方の面から突出した板状の押え部５３を有し、その取付部５２の室内側の面には室内側に開口した凹溝５４を有している。
この押え部材５０の取付部５２をキャップ４０の室内側縦部４２の室外側面４２ｂに、その凹溝５４が突起４４に嵌合するように載置し、その取付部５２をビス５１で固着することで取り付けられ、押え部５３が上カバー３０に向けて突出して被押え部３３の上方に位置する。
このようであるから、押え部材５０を突起４４をガイドとして載置できると共に、ビス５１を締め付ける力で押え部材５０がとも回りすることがなく、押え部材５０を簡単で正しく取り付けできる。
【００３４】
図４に示すように、室外側部材１０の室外側縦壁１１の室内側面１１ａにおける横向壁１２よりも上方には、その室外側通気口１０ａを開閉する作動板７０が長手方向に移動自在に設けてある。
例えば作動板７０の下部横片７１を横向壁１２に設けた突片１２ａで室内外側方向に動くことなしに長手方向にスライド自在に支承し、作動板７０の上部７２を支持片１４と室外側縦壁１１の室内側面１１ａとの間の凹部に長手方向にスライド自在に支承してある。
この作動板７０には縦スリット状の複数の補助通気口７３が長手方向に間隔を置いて、室外側通気口１０ａと対向して形成され、その作動板７０を長手方向に移動することで、補助通気口７３と室外側通気口１０ａが連通したり、遮断するようにしてある。
前述のフィルターカバー６０に設けたつまみ６２と作動板７０を連結手段で連結し、そのつまみ６２を移動することで作動板７０が左右に移動するようにしてある。
【００３５】
このようにすることで、室外側通気口１０ａを閉じることができるので、換気しないときに室外の空気が内部空間３ｅに流入することがなく、換気框の室内外側の断熱性能を向上できる。
【００３６】
前述の実施の形態では本体３ｄの室外側部材１０と室内側部材２０を別体としたが、室外側部材１０と室内側部材２０を一体としても良い。
例えば、室外側縦壁１１と室内側縦壁２１を横向壁で一体に連結し、上向き凹部３ｂを有した本体３ｄとする。この場合には室外側縦壁１１が上向き凹部３ｂの室外側部で、室内側縦壁２１が上向き凹部３ｂの室内側部である。
また、前述の実施の形態では、室外側部材１０と室内側部材２０を別体とし、その室外側部材１０のみによって上向き凹部３ｂを形成したが、これに限ることなく、室外側部材１０と室内側部材２０を別体とし、その室内側部材２０のみによって上向き凹部３ｂを形成しても良い。なお、室外側部材１０と室内側部材２０を別体とし、その室外側部材１０と室内側部材２０によって上向き凹部３ｂを形成しても良い。
また、前述の実施の形態では、縦框５を金属製、例えばアルミ合金押出し形材の室外側部材５ｂと、樹脂製、例えば樹脂押出し形材の室内側部材５ｃで内向き凹部５ａを有する框とし、縦框５の室外側部材５ｂと換気框（上框３）の室外側部材１０を連結したが、これに限ることなく、例えばアルミ合金押出し形材の室外側部材５ｂのみで内向き凹部５ａを形成し、その室内側に樹脂製、例えば樹脂押出し形材の室内側部材５ｃを有する框とし、縦框５の室外側部材５ｂと換気框（上框３）の室外側部材１０を連結しても良い。
また、開き窓やすべり出し窓、嵌め殺し窓などの障子の場合には、上レールが入り込む必要がないので、上カバー体３０を、ほぼ横向き直線形状などとすることができ、上カバー体３０はほぼ上向きコ字形状に限ることはない。
前述の実施の形態では、上カバー体３０を金属製として説明したが、これに限ることはなく、樹脂製等、他の材質であっても良い。
【符号の説明】
【００３７】
１…枠体、２…障子、３…上框（換気框）、３ａ…框本体、３ｂ…上向き凹部、３ｄ…本体、３ｅ…内部空間、１０ａ…室外側通気口、１３ｅ…上縦片（支持部）、１４…支持片（支持部）、２０…室内側部材、２０ａ…室内側通気口、３０…上カバー体、３１…室外側被支持部、３２…室内側被支持部、３３…被押え部、４０…キャップ、５０…押え部材、６０…フィルターカバー、７０…作動板。
【図１】
0005733762.tif 000002
【図２】
0005733762.tif 000003
【図３】
0005733762.tif 000004
【図４】
0005733762.tif 000005
【図５】
0005733762.tif 000006